(57)【要約】【課題】外観を損なうことなく、取付け作業性、耐久性、信頼性に優れている。【解決手段】  扉開口の縁部に沿って取り付けられた枠材１０と、枠材１０に回動自在に取り付けられた扉１１との間に、扉１１を開いたときに枠材１０との間に生じる隙間１２を塞ぐように取り付けられる指詰め防止部材１であり、指詰め防止部材１は、変形可能なベースシート２と、ベースシート２に連続して接着された接着面３ａを有する複数のカバー棒材３と、複数のカバー棒材３の両側に配置される取付棒材４，５とを有し、一方の取付棒材４は、枠材１１に取り付け可能な取付面４ａが形成され、他方の取付棒材５は、扉１１に取り付け可能な取付面５ａが形成されている。【選択図】図３
2008163665.tif 000002
【特許請求の範囲】
【請求項１】
扉開口の縁部に沿って取り付けられた枠材と、
前記枠材に回動自在に取り付けられた扉との間に、
前記扉を開いたときに前記枠材との間に生じる隙間を塞ぐように取り付けられる指詰め防止部材であり、
前記指詰め防止部材は、
変形可能なベースシートと、
前記ベースシートに連続して接着された接着面を有する複数のカバー棒材と、
前記複数のカバー棒材の両側に配置される取付棒材とを有し、
一方の取付棒材は、前記枠材に取り付け可能な取付面が形成され、
他方の取付棒材は、前記扉に取り付け可能な取付面が形成されていることを特徴とする指詰め防止部材。
【請求項２】
前記一方の取付棒材は、前記枠材に取り付け可能な取付面に両面テープが取り付けられ、この両面テープはテープカバーで覆われ、
前記他方の取付棒材は、前記扉に取り付け可能な取付面に両面テープが取り付けられ、この両面テープはテープカバーで覆われていることを特徴とする請求項１に記載の指詰め防止部材。
【請求項３】
請求項１または請求項２に記載の指詰め防止部材を備え、
前記指詰め防止部材の一方の取付棒材の取付面を、枠材に取り付け、
前記指詰め防止部材の他方の取付棒材の取付面を、前記扉に取り付け、
前記扉を開いたときに前記枠材との間に生じる隙間を前記指詰め防止部材で塞ぐように構成したことを特徴とする指詰め防止構造。
【発明の詳細な説明】
【技術分野】
【０００１】
この発明は、建築物や部屋の出入口，窓等に設けられる開閉扉に好適に使用することができる指詰め防止部材及び指詰め防止構造に関する。
【背景技術】
【０００２】
例えば、建築物や部屋の出入口、窓等には、開閉扉が設けられ、この開閉扉を開いた場合に、開閉扉と枠体との間に隙間が生じ、この隙間に指等が挾まれると怪我をする可能性がある。従って、従来のドア構造ではドア指詰め防止構造を持っているものがある（例えば、特許文献１）。
【０００３】
この特許文献１の扉の安全構造は、扉開口の縁部に沿って取り付けられた枠材に防護シートを巻取り自在に配置するとともに防護シートの先端縁部を扉に固着したもので、扉を開いたときに枠材との間に生じる隙間を防護シートで塞ぐように構成してある。
【特許文献１】特開平１０-９６３６７号公報
【発明の開示】
【発明が解決しようとする課題】
【０００４】
ところで、特許文献１では、扉の開閉に連動して防護シートが巻き出されたり、巻き取られたりし、常に隙間を防護シートで塞ぐようしているが、巻き取り構造であり、既存の建築物や部屋の出入口，窓等に取り付けることが困難で、しかも構造が複雑で、かつ故障が生じやすいなどの問題がある。
【０００５】
この発明は、かかる点に鑑みてなされたもので、外観を損なうことなく、取付け作業性、耐久性、信頼性に優れた指詰め防止部材及び指詰め防止構造を提供することを目的としている。
【課題を解決するための手段】
【０００６】
前記課題を解決し、かつ目的を達成するために、この発明は、以下のように構成されている。
【０００７】
請求項１に記載の発明は、
扉開口の縁部に沿って取り付けられた枠材と、
前記枠材に回動自在に取り付けられた扉との間に、
前記扉を開いたときに前記枠材との間に生じる隙間を塞ぐように取り付けられる指詰め防止部材であり、
前記指詰め防止部材は、
変形可能なベースシートと、
前記ベースシートに連続して接着された接着面を有する複数のカバー棒材と、
前記複数のカバー棒材の両側に配置される取付棒材とを有し、
一方の取付棒材は、前記枠材に取り付け可能な取付面が形成され、
他方の取付棒材は、前記扉に取り付け可能な取付面が形成されていることを特徴とする指詰め防止部材である。
【０００８】
請求項２に記載の発明は、
前記一方の取付棒材は、前記枠材に取り付け可能な取付面に両面テープが取り付けられ、この両面テープはテープカバーで覆われ、
前記他方の取付棒材は、前記扉に取り付け可能な取付面に両面テープが取り付けられ、この両面テープはテープカバーで覆われていることを特徴とする請求項１に記載の指詰め防止部材である。
【０００９】
請求項３に記載の発明は、
請求項１または請求項２に記載の指詰め防止部材を備え、
前記指詰め防止部材の一方の取付棒材の取付面を、枠材に取り付け、
前記指詰め防止部材の他方の取付棒材の取付面を、前記扉に取り付け、
前記扉を開いたときに前記枠材との間に生じる隙間を前記指詰め防止部材で塞ぐように構成したことを特徴とする指詰め防止構造である。
【発明の効果】
【００１０】
前記構成により、この発明は、以下のような効果を有する。
【００１１】
請求項１に記載の発明では、扉を開いたときに枠材との間に生じる隙間を塞ぐように取り付けられる指詰め防止部材であり、例えば幼児などの好奇心で枠材と扉の間に生じた隙間に指を入れようとしても、指詰め防止部材が隙間を塞いでいるために指が入ることがない。また、この指詰め防止部材は、一方の取付棒材の取付面が、枠材に取り付け可能であり、他方の取付棒材の取付面が、扉に取り付け可能であり、既存の建築物や部屋の出入口、窓等にも外観を損なうことなく容易に取り付けることができ、取付け作業性に優れ、しかも構造が簡単で安価であり、かつ故障が生じがたく耐久性、信頼性に優れている。
【００１２】
請求項２に記載の発明では、一方の取付棒材の取付面には、両面テープが取り付けられ、この両面テープはテープカバーをはがすことで、また他方の取付棒材の取付面にも両面テープが取り付けられ、この両面テープはテープカバーをはがすことで、それぞれ両面テープによって指詰め防止部材を簡単に取り付けることができる。
【００１３】
請求項３に記載の発明では、指詰め防止部材の一方の取付棒材の取付面を、枠材に取り付け、他方の取付棒材の取付面を、扉に取り付け、扉を開いたときに枠材との間に生じる隙間を指詰め防止部材で塞ぐように構成したから、幼児などの好奇心で枠材と扉の間に生じた隙間に指を入れようとしても、指詰め防止部材が隙間を塞いでいるために指が入ることがない。
【発明を実施するための最良の形態】
【００１４】
以下、この発明の指詰め防止部材及び指詰め防止構造の実施の形態について説明するが、この発明の実施の形態は、発明の最も好ましい形態を示すものであり、この発明はこれに限定されない。
【００１５】
この実施の形態の指詰め防止部材を図１乃至図４に基づいて説明する。図１は指詰め防止部材の正面図、図２は指詰め防止部材の背面図、図３は指詰め防止部材の平面図、図４は指詰め防止部材の屈曲状態の平面図である。
【００１６】
（実施の形態１）
この実施の形態の指詰め防止部材１は、変形可能なベースシート２と、複数のカバー棒材３と、取付棒材４，５を有している。複数のカバー棒材３は、ベースシート２に接着剤によって接着されている。変形可能なベースシート２は、布材のシート、樹脂のシート、ゴムのシートなどで形成される。カバー棒材３は、木材、樹脂、金属などで形成され、断面形状は円弧状に形成され、この実施の形態では木材を用い、半円状に形成されている。このカバー棒材３は、接着面３ａが形成され、この接着面３ａが接着剤６０によってベースシート２に連続して接着される。
【００１７】
取付棒材４，５は、カバー棒材３と同様に木材、樹脂、金属などで形成され、断面形状は円弧状に形成され、この実施の形態では木材を用い、半円状に形成され、接着面４ｂ，５ｂが接着剤６０によってベースシート２に接着される。一方の取付棒材４には、枠材に取り付け可能な取付面４ａが形成され、他方の取付棒材５には、扉に取り付け可能な取付面５ａが形成され、それぞれ取付面４ａ，５ａは平面である。
【００１８】
また、指詰め防止部材１は、図１及び図２に示すように、扉を開いたときに扉開口の縁部に沿って取り付けられた枠材との間に生じる隙間を塞ぐ幅Ｗであり、長さＬは、例えば幼児などの好奇心で枠材と扉の間に生じた隙間に指を入れようとしても、隙間を塞いでいる長さであればよいが、外見上は枠材と扉の間に生じた隙間の全体を塞ぐ長さがよい。
【００１９】
このように、指詰め防止部材１は、扉を開いたときに枠材との間に生じる隙間を塞ぐように取り付けられ、例えば幼児などの好奇心で枠材と扉の間に生じた隙間に指を入れようとしても、指詰め防止部材が隙間を塞いでいるために指が入ることがない。また、この指詰め防止部材１は、一方の取付棒材４の取付面４ａが、枠材に接着剤を介して取り付け可能であり、他方の取付棒材５の取付面５ａが、扉に接着剤を介して取り付け可能であり、既存の建築物や部屋の出入口、窓等にも外観を損なうことなく容易に取り付けることができ、取付け作業性に優れ、しかも構造が簡単で安価であり、かつ故障が生じがたく耐久性、信頼性に優れている。
【００２０】
（実施の形態２）
図５は指詰め防止部材の正面図、図６は指詰め防止部材の平面図である。この実施の形態は、図１乃至図４の実施の形態と同じ構成は、同じ符号を付して説明を省略する。この実施の形態では、一方の取付棒材４は、枠材に取り付け可能な取付面４ａに両面テープ６が取り付けられ、この両面テープ６はテープカバー７で覆われ、他方の取付棒材５は、扉に取り付け可能な取付面５ａに両面テープ８が取り付けられ、この両面テープ８はテープカバー９で覆われている。
【００２１】
このように、指詰め防止部材１ｈａ，一方の取付棒材４の取付面４ａには、両面テープ６が取り付けられ、この両面テープ６はテープカバー７をはがすことで、また他方の取付棒材５の取付面５ａにも両面テープ８が取り付けられ、この両面テープ８はテープカバー９をはがすことで、それぞれ両面テープ６，８によって簡単に扉開口の縁部に沿って取り付けられた枠材と、枠材に回動自在に取り付けられた扉との間に、扉を開いたときに枠材との間に生じる隙間を塞ぐように取り付けられる。
【００２２】
（実施の形態３）
図７は部屋の出入口の正面図、図８は部屋の出入口の背面図、図９及び図１０は扉の開閉状態を示す図である。この実施の形態では、実施の形態１の指詰め防止部材１、または実施の形態２の指詰め防止部材１を部屋の出入口に備えたものである。
【００２３】
実施の形態１の指詰め防止部材１は、一方の取付棒材４の取付面４ａを、扉開口の縁部に沿って取り付けられた枠材１０に接着剤７０を塗って取り付け、他方の取付棒材５の取付面５ａを、扉１１に接着剤７１を塗って取り付け、図９に示すように、扉１１を開いたときに枠材１０との間に生じる隙間１２を指詰め防止部材１で塞ぐようにしている。
【００２４】
このようにして、図９に示すように、扉１１を開いたときに枠材１０との間に生じる隙間１２を指詰め防止部材１で塞ぐようにしており、図９（ａ）は扉１１を閉じた状態を示し、図９（ｂ）は扉１１を半分開けた状態を示し、図９（ｃ）は扉１１を全部開いた状態を示している。
【００２５】
実施の形態２の指詰め防止部材１は、一方の取付棒材４の取付面４ａを、テープカバー７をはがすことで、両面テープ６を介して取付面４ａを扉開口の縁部に沿って取り付けられた枠材１０に取り付け、他方の取付棒材５の取付面５ａも同様に、テープカバー９をはがすことで、両面テープ８を介して取付面５ａを扉１１に取り付ける。
【００２６】
このようにして、図１０に示すように、扉１１を開いたときに枠材１０との間に生じる隙間１２を指詰め防止部材１で塞ぐようにしており、図１０（ａ）は扉１１を閉じた状態を示し、図１０（ｂ）は扉１１を半分開けた状態を示し、図１０（ｃ）は扉１１を全部開いた状態を示している。
【００２７】
このようにして、指詰め防止部材１の一方の取付棒材４の取付面４ａを、枠材１０に取り付け、他方の取付棒材５の取付面５ａを、扉１１に取り付け、扉１１を開いたときに枠材１０との間に生じる隙間１２を指詰め防止部材１で塞ぐように構成したから、幼児などの好奇心で枠材と扉の間に生じた隙間１２に指を入れようとしても、指詰め防止部材１が隙間１２を塞いでいるために指が入ることがない。
【産業上の利用可能性】
【００２８】
この発明は、建築物や部屋の出入口，窓等に設けられる開閉扉に好適に使用することができる指詰め防止部材及び指詰め防止構造に適用でき、外観を損なうことなく、取付け作業性、耐久性、信頼性に優れている。
【図面の簡単な説明】
【００２９】
【図１】指詰め防止部材の正面図である。
【図２】指詰め防止部材の背面図である。
【図３】指詰め防止部材の平面図である。
【図４】指詰め防止部材の屈曲状態の平面図である。
【図５】指詰め防止部材の正面図である。
【図６】指詰め防止部材の平面図である。
【図７】部屋の出入口の正面図である。
【図８】部屋の出入口の背面図である。
【図９】扉の開閉状態を示す図である。
【図１０】扉の開閉状態の他の実施の形態を示す図である。
【符号の説明】
【００３０】
１  指詰め防止部材
２  ベースシート
３  カバー棒材
３ａ  カバー棒材の接着面
４，５  取付棒材
４ａ，５ａ  取付面
６，８  両面テープ
７，９  テープカバー
１０  枠材
１１  扉
１２  隙間
６０  接着剤
【図１】
2008163665.tif 000003
【図２】
2008163665.tif 000004
【図３】
2008163665.tif 000005
【図４】
2008163665.tif 000006
【図５】
2008163665.tif 000007
【図６】
2008163665.tif 000008
【図７】
2008163665.tif 000009
【図８】
2008163665.tif 000010
【図９】
2008163665.tif 000011
【図１０】
2008163665.tif 000012